(57)【要約】【課題】被支持部材（引留碍子）に掛止されて（引き留められて）不安定な状態にある電線（引下線）を保持するにあたって、応力集中を生じさせないで電線を保持することができるようにした電線保持具を提供する。【解決手段】この電線保持具は、引留碍子３に掛止されるまでの横架側電線１１１を保持する第１の保持部材１０と、引留碍子３から垂れ下がる垂下側電線１１２を保持する第２の保持部材２０と、両保持部材１０，２０を連結する可撓性のバー３０とを備えている。第１、第２の保持部材１０、２０は、一対の半割管体１１，１２、２１，２２を備えている。第１の保持部材１０の半割管体１１，１２の開閉方向が、第２の保持部材２０の半割管体２１，２２の開閉方向と交差する方向となるように、第１，第２の保持部材１０，２０はバー３０に連結されている。バー３０は、平行に並列された２本によって構成され、両バー３０の中間が連結部材によって連結されている。【選択図】図３
2013141364.tif 000002
【特許請求の範囲】
【請求項１】
被支持部材に掛止されて不安定な状態にある電線を保持する電線保持具において、
被支持部材に掛止されるまでの横架側電線を保持する第１の保持部材と、被支持部材から垂れ下がる垂下側電線を保持する第２の保持部材と、両保持部材を連結する可撓性のバーとが備えられ、前記第１の保持部材と第２の保持部材とには、それぞれ開閉する一対の半割管体が備えられ、第１及び第２の保持部材は、自己の半割管体の開閉方向が相手方の半割管体の開閉方向と交差する方向で開閉可能になるように前記バーに連結されていることを特徴とする電線保持具。
【請求項２】
前記バーは、平行に並列された２本によって構成され、両バーの中間が連結部材によって連結されていることを特徴とする請求項１に記載の電線保持具。
【請求項３】
前記第１の保持部材及び第２の保持部材の両方又は一方には、電線がずれないようにする定着手段が備えられていることを特徴とする請求項１又は２に記載の電線保持具。
【請求項４】
前記第２の保持部材は、前記第１の保持部材よりも長く形成されていることを特徴とする請求項１ないし３のいずれか一項に記載の電線保持具。
【発明の詳細な説明】
【技術分野】
【０００１】
本発明は、例えば、電柱に架設された配電線から分岐した引下線のような不安定な状態にある電線を２か所において保持する電線保持具に関する。
【背景技術】
【０００２】
例えば、図４に示すように、電柱１に架設されている高圧架線のような配電線１００から分岐させた引下線１１０は、図５に示すように、一旦、引留碍子２に引き留められ、この引き留められた部分がバインド線３によって結束された上で、変圧器４に接続される。また、引下線１１０は、工事などによって途中において切断・接続され、この箇所を絶縁カバー（図示せず）で覆う場合がある。
【０００３】
このような引下線１１０、特に、絶縁カバーで覆われた引下線１１０は、風圧を受けて、揺れやすくなっている。そうすると、引留碍子２に引き留められ、結束されている箇所の引下線１１０には、繰返し荷重が加えられ、応力集中によって金属疲労を起こし、断線することがある（特許文献１参照）。
【先行技術文献】
【特許文献】
【０００４】
【特許文献１】特開２００９−２９６７２０号公報
【発明の概要】
【発明が解決しようとする課題】
【０００５】
本発明は、被支持部材に掛止されて不安定な状態にある電線を保持するにあたって、応力集中を生じさせないで電線を保持することができるようにした電線保持具を提供することを課題とする。
【課題を解決するための手段】
【０００６】
本発明に係る電線保持具は、被支持部材に掛止されて不安定な状態にある電線を保持する電線保持具において、被支持部材に掛止されるまでの横架側電線を保持する第１の保持部材と、被支持部材から垂れ下がる垂下側電線を保持する第２の保持部材と、両保持部材を連結する可撓性のバーとが備えられ、前記第１の保持部材と第２の保持部材とには、それぞれ開閉する一対の半割管体が備えられ、第１及び第２の保持部材は、自己の半割管体の開閉方向が相手方の半割管体の開閉方向と交差する方向で開閉可能になるように前記バーに連結されていることを特徴としている。
【０００７】
この電線保持具によれば、第１の保持部材と第２の保持部材のそれぞれに一対の半割管体が備えられ、自己の半割管体の開閉方向が相手方の半割管体の開閉方向と交差する方向で開閉可能になるように、第１及び第２の保持部材がバーに連結されていることにより、交差する方向に配線された横架側電線と垂下側電線とをそれぞれの向きに沿って第１の保持部材と第２の保持部材とを配置することができる。したがって、第１の保持部材と第２の保持部材とによってそれぞれ保持される部分の横架側電線と垂下側電線が直交していれば、第１の保持部材に備えられた半割管体の開閉方向と第２の保持部材に備えられた保持部材の開閉方向も直交する。
【０００８】
そして、第１の保持部材及び第２の保持部材は、開閉する一対の半割管体を備え、半割管体が開いた状態から閉じた状態となることでそれぞれ横架側電線及び垂下側電線を保持する。なお、両保持部材とも、半割管体が閉じた状態から容易に開いた状態にならないようになっていることはいうまでもない。
【０００９】
そして、横架側電線を保持する第１の保持部材と、垂下側電線を保持する第２の保持部材とが可撓性のバーによって連結されているため、電線が風などによって揺れたとしても、バーが撓むことで、横架側電線及び垂下側電線の揺れが抑制され、そして、その揺れによって生じる応力は、被支持部材に掛けられている部分の電線に集中することなく、第１の保持部材に保持されている部分の横架側電線及び第２の保持部材に保持されている部分の垂下側電線にも分散されることで、断線しないようにすることができる。なお、被支持部材に掛止されている部分の横架側電線及び垂下側電線は、バインド線などの結束部材によって結束される。
【００１０】
また、前記本発明に係る電線保持具において、前記バーは、平行に並列された２本によって構成され、両バーの中間が連結部材によって連結されていることが好ましい。なお、この電線保持具は、第１の保持部材が横架側電線を保持し、第２の保持部材が垂下側電線を保持する使用状態において、２本のバーは水平方向に並ぶ。
【００１１】
この電線保持具によれば、横架側電線と垂下側電線が風などによって水平方向に揺れやすいものの、使用状態の２本のバーは、水平方向に平行に並列されていることから、水平方向の揺れに対して耐力を強化することができる。そして、バーの中間が連結部材によって連結されることで、２本のバーが菱形状に変形したり、水平方向に大きく撓みすぎたりしないようにすることができる。さらに、２本のバーは、１本のバーによって同等の耐力を得られるようにした場合よりも、細径化できるため、風の抵抗を受けにくくなる。
【００１２】
また、前記本発明に係る電線保持具において、前記第１の保持部材及び第２の保持部材の両方又は一方には、電線がずれないようにする定着手段が備えられていることが好ましい。
【００１３】
この電線保持具によれば、第１の保持部材及び第２の保持部材に保持された横架側電線及び垂下側電線が定着手段によってずれないため、横架側電線及び垂下側電線が風などによって揺れても、両保持部材間の横架側電線及び垂下側電線は、一定の長さを維持することができる。
【００１４】
また、前記本発明に係る電線保持具において、前記第２の保持部材は、前記第１の保持部材よりも長く形成されていることが好ましい。
【００１５】
この電線保持具によれば、第２の保持部材が長く形成されていることにより、垂下側電線が揺れたときに、第２の保持部材に広範囲に分布荷重が加えられることになり、第２の保持部材に保持されている部分の垂下側電線に応力集中が生じにくいようにすることができる。そして、第１の保持部材が短く形成されていることにより、横架側電線が傾斜姿勢となっていても、第１の保持部材は横架側電線を保持しやすくなる。
【発明の効果】
【００１６】
本発明によれば、横架側電線を保持する第１の保持部材と、垂下側電線を保持する第２の保持部材とを可撓性のバーによって連結した電線保持具が提供されることにより、横架側電線と垂下側電線は、風などによって揺れても、応力が、被掛止部材に掛止されて拘束されている部分の電線に集中せず、第１と第２の保持部材の部分にも分散されるため、断線することがなく、したがって、停電を防止することができる。
【図面の簡単な説明】
【００１７】
【図１】本発明に係る電線保持具の一実施形態を示す概略斜視図である。
【図２】本発明に係る電線保持具の一実施形態を示し、（ａ）は平面図、（ｂ）は正面図である。
【図３】本発明に係る電線保持具の一実施形態であって、使用状態を示す正面図である。
【図４】電線保持具の使用箇所を示す概略図である。
【図５】被支持部材から垂れ下げられた電線を結束している結束部材を示す正面図である。
【発明を実施するための形態】
【００１８】
本発明に係る電線保持具の一実施形態について図１ないし図３を参照しながら説明する。この電線保持具は、図４に示したような電柱１に架設されている配電線１００から分岐して被支持部材である引留碍子２に掛止される（引き留められる）引下線（電線）１１０を２か所で保持する。ここでは、配電線１００から引留碍子２に掛止されるまでの引下線１１０を横架側電線１１１といい、引留碍子２から垂れ下がる引下線１１０を垂下側電線１１２という。
【００１９】
そして、電線保持具は、横架側電線１１１を保持する第１の保持部材１０と、垂下側電線１１２を保持する第２の保持部材２０と、両保持部材１０，２０を連結する可撓性のバー３０とを備えている。第１の保持部材１０と第２の保持部材２０は、ともに開閉する一対の半円筒状の半割管体１１，１２、２１，２２を備えているが、第１の保持部材１０の半割管体１１，１２の開閉方向が第２の保持部材２０の半割管体２１，２２の開閉方向と交差する方向で開閉可能になるように第１、第２の保持部材１０、２０がバー３０に連結されている。
【００２０】
すなわち、第１の保持部材１０と第２の保持部材２０とにそれぞれ保持される部分の横架側電線１１１と垂下側電線１１２とが直交してれば、第１の保持部材１０の半割管体１１，１２の開閉方向と第２の保持部材２０の半割管体２１，２２の開閉方向とは直交する。例えば、第１の保持部材１０に保持される部分の横架側電線１１１が水平向き、第２の保持部材２０に保持される部分の垂下側電線１１２が鉛直向きの場合は、使用状態にある電線保持具の第１の保持部材１０の半割管体１１，１２は水平向き、第２の保持部材２０の半割管体２１，２２は鉛直向きとなる。
【００２１】
そして、第１、第２の保持部材１０，２０とも、半割管体１１，１２、２１，２２が重なり合う面には、横架側電線１１１、垂下側電線１１２が嵌る溝１３，２３が形成され、横架側電線１１１、垂下側電線１１２がずれないようにするための定着手段１４，２４がこの溝１３，２３に備えられている。
【００２２】
定着手段１４，２４としては、例えば図１に示したように粘着性テープによって構成することが好ましいが、半割管体１１，１２、２１，２２が閉じる方向に付勢するバネによって構成してもよいし、ローレット加工などによって構成してもよいし、あるいは、半割管体１１，１２、２１，２２を横架側電線１１１、垂下側電線１１２よりも小さめとして、結束バンドによって構成してもよい。
【００２３】
また、一対の半割管体１１，１２、２１，２２の一方の側部には例えば蝶番部材１５，２５が取り付けられ、他方の側部には凹型係合部材１６，２６と凸型係合部材１７，２７が設けられ、両者１６，１７、２６，２７が係合することで半割管体１１，１２、２１，２２が閉じた状態を維持するようにされている。
【００２４】
そして、第２の保持部材２０は、第１の保持部材１０よりも長く形成されている。こうすることで、垂下側電線１１２が揺れたときに、垂下電線１１２には、広範囲の第２の保持部材２０から分布荷重が加えられ、この保持されている部分で応力集中を生じにくくすることができる。また、第１の保持部材１０は、第２の保持部材２０よりも短く形成され、横架側電線１１１が傾斜姿勢となっていても、保持しやすくされている。
【００２５】
そして、バー３０は、平行に並列された２本の絶縁性ファイバー製の丸棒によって構成され、一端（先端）部が第１の保持部材１０の一方の半割管体１１に固定され、他端（基端）部が第２の保持部材２０の一方の半割管体２１に固定されている。具体的には、２本のバー３０，３０の先端部は、第１の保持部材１０の一方の半割管体１１の側面に沿って、かつ、軸方向に固定される。したがって、２本のバー３０，３０の先端部には、一方の半割管体１１の側面に沿う凹面が形成されている。また、２本のバー３０，３０の基端部は、第２の保持部材２０の一方の半割管体２１の側面に突き刺さる方向に固定される。
【００２６】
そして、２本のバー３０，３０の中間部は連結部材３３によって連結さている。連結部材３３によって連結された２本のバー３０，３０は、菱形に変形しにくく、また、捩れにくくなる。なお、連結部材３３は、図示したような１か所にのみ設けることなく、複数か所に設けてもよい。
【００２７】
そして、この電線保持具は、図５に示したようなバインド線３その他の結束部材（以下、「バインド線３」として説明する。）と組み合わせて横架側電線１１１と垂下側電線１１２とからなる引下線１１０を引留碍子２に引き留めて（掛止して）結束する。なお、引下線１１０は、配電線１００から分岐する工事の際に引留碍子２に掛止され、又は、事後の工事などによって切断されたときに、引留碍子２に掛止されている。
【００２８】
そして、電線保持具は、図３に示すように、第１の保持部材１０が水平向きとなっている部分の横架側電線１１１を保持し、第２の保持部材２０が鉛直方向に配線された垂下側電線１１２を保持する。この保持した状態において、バー３０，３０は水平姿勢となり、したがって、第１の保持部材１０の半割管体１１，１２も水平姿勢となることから、開いた状態の一方の半割管体１１の溝１３内に横架側電線１１１を容易に嵌めることができる。
【００２９】
そして、第１の保持部材の１０は、他方の半割管体１２を閉じて、凹型係合部材１６と凸型係合部材１７とが係合することで、横架側電線１１１を保持する。この横架側電線１１１は、第１の保持部材１０の定着手段１４によって一対の半割管体１１，１２内を移動しない。
【００３０】
また、第２の保持部材２０は、一対の半割管体２１，２２が鉛直姿勢となることから、開いた状態の一方の半割管体２１の溝２３内に沿わせ、他方の半割管体２２を閉じて、凹型係合部材２６と凸型係合部材２７とが係合することで、垂下側電線１１２を保持する。この垂下側電線１１２は、第２の保持部材２０の定着手段２４によって一対の半割管体２１，２２内を移動しない。
【００３１】
そして、引留碍子２に掛けられた状態となった横架側電線１１１と垂下側電線１１２は、バインド線３によって結束される。
【００３２】
このようにして引留碍子２から吊り下げられた状態の横架側電線１１１及び垂下側電線１１２は、第１の保持部材１０及び第２の保持部材２０にそれぞれ保持されるが、不安定な状態となっている。しかし、風などによって横架側電線１１１が水平方向に揺れようとすると、バー３０が水平方向に揺動する。
【００３３】
また、風などによって横架側電線１１１が鉛直方向に揺れようとすると、バー３０が鉛直方向に揺動する。さらに、横架側電線１１１が斜め方向に揺れようとすると、バー３０は、斜め方向に揺動する。
【００３４】
なお、水平方向に揺動する２本のバー３０，３０は、連結部材３３に拘束され、菱形に変形したり、撓みすぎたり、捩れたりしないため、電線保持具自体にも応力集中が生じない。すなわち、電線保持具自体が折損することはない。また、２本の各バー３０は、互いに他方のバー３０に規制され、揺動の振幅が抑えられる。さらに、風が２本のバー３０，３０の間を通り抜けることによっても、バー３０の振動は抑制される。
【００３５】
そして、バー３０がいずれの方向に揺動しても、バインド線３によって結束された部分の電線１１０に応力が集中せず、第１の保持部材１０、第２の保持部材２０に保持されている部分の横架側電線１１１、垂下側電線１１２にも分散する。
【００３６】
このように、バインド線３によって結束された部分の電線１１０は、風などによって揺れても、応力集中が生じない、すなわち、応力が分散することによって断線しない。また、この電線保持具に保持された電線１１０は、仮支持（仮保持）された状態となっている。したがって、その後の工事によって電線１１０を切断したときに、電線１１０の先端が垂れ下がらず、この電線保持は短絡事故や地絡事故を防止することができる。
【００３７】
なお、本発明は、前記実施の形態に限定することなく、種々変更することができる。例えば、バー３０は、２本で構成することによって、この２本のバー３０の間を風が通り、１本のバー３０で構成するよりも細径化を図り、風の抵抗を受けにくくすることができるが、所望の弾性係数及び耐力を有し、かつ、軽量の材料を選択することで、バー３０は１本で構成することができる。
【００３８】
また、第１の保持部材１０は、傾斜した横架側電線１１１を傾斜した姿勢で保持できるように、傾動自在にバー３０にピンなどによって連結されてもよい。さらに、第２の保持部材２０とバー３０との連結位置よりも高い位置で第１の保持部材１０が横架側電線１１１を保持できるように、第２の保持部材２０がバー３０に対して傾動自在に連結されていてもよい。
【００３９】
この傾動自在とするいずれの場合も、第１の保持部材１０に保持されている部分の横架側電線１１１、第２の保持部材２０に保持されている部分の垂下側電線１１２に応力集中が生じないようにすることができる。さらに、傾動自在とする場合にあっては、第１の保持部材１０の半割管体１１，１２は、第２の保持部材２０の半割管体２１，２２よりも短くしなくてもよい。
【００４０】
また、電線保持具は、配電線１００から分岐した引下線１１０を固定するだけでなく、不安定な状態で保持される必要がある各種電線を保持することができる。したがって、被支持部材は、使用状況に合わせて、引留碍子２以外の各種絶縁部材を使用することができる。
【符号の説明】
【００４１】
２……………被支持部材（引留碍子）
３……………結束部材（バインド線）
１０…………第１の保持部材
１１，１２…半割管体
１４…………定着手段
２０…………第２の保持部材
２１，２２…半割管体
２４…………定着手段
３０…………バー
３３…………連結部材
１１０………電線（引下線）
１１１………横架側電線
１１２………垂下側電線
【図１】
2013141364.tif 000003
【図２】
2013141364.tif 000004
【図３】
2013141364.tif 000005
【図４】
2013141364.tif 000006
【図５】
2013141364.tif 000007